(57)【要約】【課題】スライド部材の損傷を可及的に抑制して耐久性を向上させたスライドアシスト装置を提供する。【解決手段】スライド部材３４は、スライドブロック８０と、このスライドブロック８０に開閉方向にスライド可能に取り付けられ、受け部材と係合する係合姿勢及びその係合状態を解除する解除姿勢を切換可能に構成された係合ブロック８２とを有する。スライドブロック８０は、受け部材と係合してスライドするのに伴い解除姿勢にある係合ブロック８２と係合して該係合ブロック８２を係合姿勢に切り換える連係部８０４を具備する。【選択図】  図６
2013151855.tif 000002
【特許請求の範囲】
【請求項１】
構造物の開口部を開閉する引戸に設けられた枠体と、この枠体内に一端がフリー状態で収容される弾性部材と、この弾性部材のフリー端部に取り付けられ上記引戸の開閉方向にスライドするスライド部材と、上記構造物に取り付けられ所定の範囲で上記スライド部材に係脱する受け部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、上記引戸の反対方向へのスライド時に上記スライド部材と受け部材とが再係合することにより上記弾性部材の付勢力が開放されてスライドアシスト力として付与されるスライドアシスト装置において、
上記スライド部材は、スライド本体と、このスライド本体に上記開閉方向にスライド可能に取り付けられ、上記受け部材と係合する係合姿勢及びその係合状態を解除する解除姿勢を切換可能に構成された係合体とを有し、上記スライド本体は、上記受け部材と係合してスライドするのに伴い解除姿勢にある係合体と係合して該係合体を係合姿勢に切り換える連係部を具備することを特徴とするスライドアシスト装置。
【請求項２】
上記連係部は、上記受け部材側方向の成分を含む法線を有し、上記スライド本体が上記係合体に対し離反方向にスライドするに伴って上記係合体を受け部材側に押し出すことにより姿勢切換を行う傾斜部を有することを特徴とする請求項１記載のスライドアシスト装置。
【請求項３】
上記傾斜部は、傾斜面として構成されていることを特徴とする請求項２記載のスライドアシスト装置。
【請求項４】
上記係合体は、上記開閉方向に延設され、この開閉方向中央よりも基端側において上記スライド本体にスライド可能に取り付けられ、
上記連係部は、上記係合体の先端部と係合するように構成されることを特徴する請求項２または請求項３記載のスライドアシスト装置。
【請求項５】
上記スライド本体は、上記開閉方向に沿って延び上縁部において上記係合体を支承する支承部と、この支承部に立設され上記反対方向のスライド時に受け部材と係合する係合突出部とを有し、
上記係合体は、解除姿勢において上記係合突出部に対して離隔配置された姿勢切換面を有し、
上記連係部は、上記スライド体のスライドに伴い上記姿勢切換面に当接することにより上記係合体に対し受け部材側のモーメントを作用させる上記係合突出部の作用面であることを特徴とする請求項１ないし請求項４のいずれか１項に記載のスライドアシスト装置。
【発明の詳細な説明】
【技術分野】
【０００１】
本発明は、戸枠内等で左右にスライドして構造物の開口部を開閉する引戸に対し、開閉方向の少なくともいずれか一方向のスライドアシスト力を付与する引戸のスライドアシスト装置に関するものである。
【背景技術】
【０００２】
従来、特許文献１に記載されているようなドアクローザー（スライドアシスト装置）が知られている。このドアクローザーは、引戸を対象として設けられ、一旦開放された当該引戸を閉じるときに伸長状態とされた引きバネの付勢力で閉動作をアシストするように構成されている。
【０００３】
具体的には、このドアクローザーは、引戸の上端側に付設された本体ボディと、この本体ボディ内に一端がフリー状態で収容される引きバネと、本体ボディ内に一端がフリー状態で収容されるエアダンパと、これらの引きバネ及びエアダンパのフリー端部に取り付けられたキャッチ体付き摺動ブロック（スライド部材）と、戸枠に下方に突出する態様で設けられたフック体（受け部材）とを備える。このドアクローザーは、引戸開動作に伴いキャッチ体とフック体とが係合して引きバネを所定量延伸した時点でフック体が回動することによりこのフック体とキャッチ体との係合状態が解除されるとともに、このキャッチ体が本体ボディに停止保持される。一方、ドアクローザーは、引戸閉動作に伴いキャッチ体とフック体とが再係合してキャッチ体の停止保持状態が解除される。その上でキャッチ体が摺動ブロックとともにスライドして、エアダンパにより引戸を減速させるとともに、引きバネの付勢力で引戸の閉方向のスライドをアシストするものとなされている。
【先行技術文献】
【特許文献】
【０００４】
【特許文献１】特開２００８−１５６８５１号公報
【発明の概要】
【発明が解決しようとする課題】
【０００５】
ところで、上記従来のドアクローザーによれば、経年劣化、或いは引戸を勢いよく閉めた場合等に、キャッチ体の損傷が懸念されるものであった。例えば、引戸を勢いよく閉めた場合には、フック体がキャッチ体の係合バーに勢いよく衝突し、キャッチ体は回動起立して本体ボディとの固定状態が解除される。このキャッチ体の回動の際に、摺動ブロックは停止保持位置に止まった状態であるため、特にキャッチ体が円滑に動作しなかった場合等に、上記衝突による衝撃力はダイレクトにキャッチ体などのスライド部材に作用して該キャッチ体が欠損することが懸念される。このことは、引戸の通常の閉動作であっても、経年等に伴いキャッチ体が劣化している場合にも同様のことが云える。
【０００６】
本発明は、上記従来の問題点に鑑みてなされたものであり、キャッチ体を含むスライド部材の損傷を可及的に抑制して耐久性を向上させたスライドアシスト装置を提供することを目的としている。
【課題を解決するための手段】
【０００７】
上記課題を解決するために、この発明に係るスライドアシスト装置は、構造物の開口部を開閉する引戸に設けられた枠体と、この枠体内に一端がフリー状態で収容される弾性部材と、この弾性部材のフリー端部に取り付けられ上記引戸の開閉方向にスライドするスライド部材と、上記構造物に取り付けられ所定の範囲で上記スライド部材に係脱する受け部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、上記引戸の反対方向へのスライド時に上記スライド部材と受け部材とが再係合することにより上記弾性部材の付勢力が開放されてスライドアシスト力として付与されるスライドアシスト装置において、上記スライド部材は、スライド本体と、このスライド本体に上記開閉方向にスライド可能に取り付けられ、上記受け部材と係合する係合姿勢及びその係合状態を解除する解除姿勢を切換可能に構成された係合体とを有し、上記スライド本体は、上記受け部材と係合してスライドするのに伴い解除姿勢にある係合体と係合して該係合体を係合姿勢に切り換える連係部を具備することを特徴とするものである。
【０００８】
この発明によれば、スライド部材がスライド本体と係合体との２部材を含んで構成され、上記スライド本体は、上記受け部材と係合してスライドしながら解除姿勢にある係合体と係合して該係合体を係合姿勢に切り換える連係部を具備するので、スライド本体を含むスライド部材の損傷を効果的に抑制することができ、これに伴いスライドアシスト装置の耐久性を向上させることができる。
【０００９】
すなわち、この発明によれば、上記連係部を具備するので、例えば引戸の閉止動作時に受け部材とスライド本体が接触して係合すると、スライド本体はスライドしつつ、連係部により係合体を解除姿勢から係合姿勢に切り換える。このように、受け部材とスライド本体とが係合するのと同時にスライド本体はスライドを始めるので、衝撃力を逃がしつつ、係合体の姿勢を変更することができ、これによりスライド本体を含むスライド部材の損傷を効果的に抑制することができ、ひいてはスライドアシスト装置の耐久性を向上させることができる。
【００１０】
この発明において、上記連係部は、その具体的構造を特に限定するものではないが、例えば、上記連係部は、上記受け部材側方向の成分を含む法線を有し、上記スライド本体が上記係合体に対し離反方向にスライドするに伴って上記係合体を受け部材側に押し出すことにより姿勢切換を行う傾斜部を有するのが好ましい。なお、受け部材側方向の成分とは、前後上下左右の各方向のうち、受け部材側の方向成分をいう。
【００１１】
このように構成すれば、簡単な構成で傾斜部に沿って係合体を受け部材側に押し出すことができ、解除姿勢から係合姿勢への姿勢変更を簡単かつ確実に行うことができる。
【００１２】
この場合の傾斜部は、係合体に対し線接触をするものであってもよいが、面接触するように構成されるのが好ましい。すなわち、上記傾斜部は、傾斜面として構成されているのが好ましい。
【００１３】
このように構成すれば、より確実に係合体を受け部材側に押し出すことができ、より一層確実な動作を行わせることができる。
【００１４】
上記連係部は、スライド本体のスライドに伴う係合体に対する係合部位は特に限定するものではないが、上記係合体は、上記開閉方向に延設され、この開閉方向中央よりも基端側において上記スライド本体にスライド可能に取り付けられ、上記連係部は、上記係合体の先端部と係合するように構成されるのが好ましい。
【００１５】
このように構成すれば、例えば取付位置に隣接する中間部において係合体と係合する連係部と比べて小さい力で係合体を押し出すことができ、円滑かつ確実な係合体の姿勢切換動作を担保することができる。
【００１６】
一方、上記連係部について、傾斜部に代えて、或いは傾斜部に加えて、例えば次のように構成することもできる。すなわち、上記スライド本体は、上記開閉方向に沿って延び上縁部において上記係合体を支承する支承部と、この支承部に立設され上記反対方向のスライド時に受け部材と係合する係合突出部とを有し、上記係合体は、解除姿勢において上記係合突出部に対して離隔配置された姿勢切換面を有し、上記連係部は、上記スライド体のスライドに伴い上記姿勢切換面に当接することにより上記係合体に対し受け部材側のモーメントを作用させる上記係合突出部の作用面として構成することもできる。
【００１７】
このように構成すれば、スライド本体のスライドに伴い、姿勢切換面と作用面とが当接して、係合体に対し上記受け部材側のモーメントを作用させることができるので、簡単な構成で係合体を解除姿勢から係合姿勢に切り換えることができ、確実な動作を担保することができる。
【発明の効果】
【００１８】
本発明に係るスライドアシスト装置によれば、受け部材とスライド本体が接触すると、スライド本体はスライドしつつ、連係部により係合体を解除姿勢から係合姿勢に切り換えるので、衝撃力を逃がしつつ、係合体の姿勢を変更することができ、これによりスライド本体を含むスライド部材の損傷を効果的に抑制することができ、ひいてはスライドアシスト装置の耐久性を向上させることができる。
【図面の簡単な説明】
【００１９】
【図１】本発明に係るスライドアシスト装置を一部分解した状態で示す斜視図である。
【図２】同装置を一部切り欠いた状態で示す正面図である。
【図３】スライド部材を示す斜視図である。
【図４】（ａ）は同部材のスライドブロックを示す正面図であり、（ｂ）は側面図である。
【図５】（ａ）は同部材の係合ブロックを示す正面図であり、（ｂ）は側面図である。
【図６】同部材の動作を示す概念図であり、（ａ）は係合ブロックが解除姿勢にある状態を示し、（ｂ）は同ブロックが途中姿勢にある状態を示し、（ｃ）は同ブロックが係合姿勢にある状態を示している。
【図７】スライド部材の変形例における動作を示す概念図であり、（ａ）は係合ブロックが解除姿勢にある状態を示し、（ｂ）は同ブロックが途中姿勢にある状態を示し、（ｃ）は同ブロックが係合姿勢にある状態を示している。
【図８】スライド部材の更に別の変形例における動作を示す概念図であり、（ａ）は係合ブロックが解除姿勢にある状態を示し、（ｂ）は同ブロックが途中姿勢にある状態を示し、（ｃ）は同ブロックが係合姿勢にある状態を示している。
【発明を実施するための形態】
【００２０】
以下、本発明に係る一実施形態を図面に基づいて説明する。なお、本実施形態のスライドアシスト装置は、戸車付きの非吊下式の引戸に適用したものであるが、本発明のスライドアシスト装置は戸車なしの非吊下式引戸や、吊下式引戸等、その他の引戸にも適用することができる。また、本実施形態のスライドアシスト装置は、引戸に対し閉止方向についてスライドアシスト力を付与するものとなされているが、開方向についてアシスト力を付与するものであってもよい。もちろん、開閉各方向についてスライドアシスト力を付与するスライドアシスト装置を引戸に設けるものであってもよい。
【００２１】
図１は本実施形態のスライドアシスト装置を一部分解した状態で示す斜視図であり、図２は同装置を一部切り欠いた状態で示す正面図である。なお、以下、便宜上、各図における＋Ｘ方向を右方向、＋Ｙ方向を後方向、＋Ｚ方向を上方向として説明するが、これらの方向の表現については特に限定されるものではなく、単に本実施形態の装置内における相対的な位置関係を表したものである。
【００２２】
まず、本実施形態のスライドアシスト装置１が取り付けられる引戸Ｄの構造について簡単に説明する。引戸構造は、構造物の開口部を開閉する引戸Ｄと、この引戸Ｄが内側でスライド移動する戸枠（不図示）とを備える。引戸Ｄは、戸本体Ｄ１と、戸本体Ｄ１の下部に取り付けられた左右一対の戸車（不図示）とを備える。なお、この戸車には高さ調節機構（不図示）が設けられ、例えば経年によって戸枠（特に側部内面）との間に隙間が生じた場合でも戸本体Ｄ１を傾斜させて閉め残しを解消することができるものとなされている。
【００２３】
一方、戸枠（構造物に含まれる）は、鴨居下面に設けられ引戸Ｄのスライド方向をガイドするガイドレールＬと、敷居に設けられ引戸Ｄの戸車が案内される案内溝（不図示）とを含み、このガイドレールＬおよび案内溝に沿って引戸Ｄが開閉される。すなわち、引戸Ｄは、その頂部に配設された後述の第１および第２のガイドユニット１０，１１がガイドレールＬに挿通されることにより上部が案内されるとともに、その下部の戸車が上記案内溝に挿通されることにより下部が案内される。
【００２４】
そして、本実施形態のスライドアシスト装置１は、この引戸Ｄの頂部に配設された第１ガイドユニット１０と、ガイドレールＬの天面に固定される受け部材５とを備えて構成されている。
【００２５】
第１ガイドユニット１０は、引戸Ｄに固定された引戸固定体２と、この引戸固定体２に連結部２３を介して取り付けられ引戸Ｄのスライドアシスト機能を有するアシスト装置本体３とを備え、第２ガイドユニット１１とともに引戸Ｄのスライド移動を案内するものとなされている。第２ガイドユニット１１は、引戸Ｄに固定された第２引戸固定体１２と、この第２引戸固定体１２に取り付けられたガイドローラユニット１３とを備え、高さ調節機構１４によってガイドローラユニット１３の引戸Ｄからの突出高さ位置を調整し得るものとなされている。なお、本実施形態のような下支え形式の引戸Ｄにおいては、この第２ガイドユニット１１を適宜省略することもできる。
【００２６】
このスライドアシスト装置１は、アシスト装置本体３（以下、単に「装置本体」という）と受け部材５とが協働して付勢力を蓄積または解放可能に構成され、引戸Ｄの閉止速度が速い場合など付勢力が解放される際に装置本体３に受け部材５が係合して装置本体３に制動力が作用するようになされているとともに、上記解放された付勢力をスライドアシスト力として引戸Ｄに対して付与されるようになっている。以下、具体的に説明する。
【００２７】
引戸固定体２は、既に公知であるので詳細な説明は省略するが、装置本体３を引戸Ｄに固定するためのものであり、連結部２３を介して装置本体３の第１エッジブロック３１２に固定されている。引戸固定体２の引戸Ｄに対する固定構造についても、既に公知であるのでここでは詳しい説明を省略する。
【００２８】
装置本体３は、図１および図２に示すように、引戸固定体２に取り付けられた枠体３１と、この枠体３１内に一端（本実施形態では右端）がフリー状態で収容される引きバネ３２（弾性部材に相当）と、枠体３１内に一端（本実施形態では右端）がフリー状態でかつ引きバネ３２と並列に収容されたダンパー部材３３と、この引きバネ３２およびダンパー部材３３のフリー端部に取り付けられたスライド部材３４とを備え、上記付勢力としての引きバネ３２の弾性力を蓄積または解放可能に構成されている。
【００２９】
具体的には、装置本体３は、角筒状の枠体３１と、枠体３１内であって第２エッジブロック３１３に一端が固定された引きバネ３２と、枠体３１内でこの引きバネ３２と前後に並設されるとともに第２エッジブロック３１３に一端が固定されたダンパー部材３３と、この引きバネ３２およびダンパー部材３３の他端であるフリー端部に取り付けられ、枠体３１内をその長手方向に沿ってスライド可能なスライド部材３４とを備える。なお、図１では、引きバネ３２は、ダンパー部材３３の前後に一対配設されているが、ダンパー部材３３の前後いずれか一方に一本の引きバネ３２を備えるものとしても良い。 
【００３０】
枠体３１は、左右方向（引戸Ｄの開閉方向）に細長い角筒状の枠本体３１１と、この枠本体３１１の長手方向一端部（右端部）に嵌め込まれる第１エッジブロック３１２と、枠本体３１１の長手方向他端部（左端部）に嵌め込まれる第２エッジブロック３１３とを備え、第１エッジブロック３１２において引戸固定体２の連結部２３に連結されている。
【００３１】
この第１エッジブロック３１２には、ガイドレールＬ内を転動する左右一対のガイドローラ３１６が設けられており、第２エッジブロック３１２に設けられたガイドローラ３１７とともに装置本体３をガイドレールＬ内で円滑にスライドし得るように構成されている。
【００３２】
一方、枠本体３１１に戻って、枠本体３１１は、図４（ｂ）に二点鎖線で示すように、上下各部枠体からなり、下部枠体の底板は前後方向中央部が下方に突出して構成されており、この突出部分も含めて底板上をスライド部材３４が摺動し得るものとなされている。この枠本体３１１には、図１に示すように、その上面壁に左右方向に細長く延びるガイドスリット３１１ａと、このガイドスリット３１１ａに連設され、ガイドスリット３１１ａに対して拡幅された姿勢切換孔３１１ｂ（本実施形態では角形）とが設けられている。ガイドスリット３１１ａは、枠本体３１１の上面壁の左右方向の中央部を始点にして右方へ延設されている。このガイドスリット３１１ａの前後幅は、スライド部材３４の後述する係合ブロック８２における受け係合部８２１の前後幅よりも狭く設定され、スライド部材３４の係合ブロック８２がこのスリット３１１ａを通じて枠本体３１１内に没入しないように構成されている。
【００３３】
なお、図２に示すように、ガイドスリット３１１ａと姿勢切換孔３１１ｂとの間のガイドスリット３１１ａを挟む枠体部分３１１ｃはそれぞれ下方に舌状に垂下して構成され、この枠体部分３１１ｃに係合ブロック８２が後述する解除姿勢において係合するものとなされている。
【００３４】
また、姿勢切換孔３１１ｂは、ガイドスリット３１１ａの右端部に連設されている。この姿勢切換孔３１１ｂは、ガイドスリット３１１ａよりも前後に拡幅して構成され、係合ブロック８２の受け係合部８２１よりも幅広に構成されている。従って、この姿勢切換孔３１１ｂは、スライド部材３４がこの姿勢切換孔３１１ｂに至った場合にスライド部材３４の係合ブロック８２がこの姿勢切換孔３１１ｂを通してその一部（具体的には受け係合部８２１）が枠本体３１１内に進退可能に構成されている。
【００３５】
引きバネ３２は、第２エッジブロック３１３とスライド部材３４との間に介設され、スライド部材３４に付勢力を付与するためのものである。具体的には、引きバネ３２の一端部は第２エッジブロック３１３の右端部に係止されることにより枠体３１に固定され、フリー端部である他端部がスライド部材３４の係合ブロック８２の左端部に係止され、これにより引きバネ３２が各部材３１３，３４間に張設されている。なお、この引きバネ３２に代えて、天然ゴムや合成樹脂等からなる弾性部材（例えばゴムバンド）を用いても良い。
【００３６】
ダンパー部材３３は、シリンダと該シリンダ内に嵌め込まれるピストンロッドとを備えた直動式ダンパーであり、引きバネ３２の付勢力または引戸Ｄのスライド力に対して緩衝効果を付与するものである。このダンパー部材３３は、第２エッジブロック３１３とスライド部材３４の間に架設され、引きバネ３２の間において該引きバネ３２と並列に配置されている。具体的には、ダンパー部材３３の一端部は第２エッジブロック３１３の右端部に係止されることにより枠体３１に固定され、フリー端部である他端部がスライド部材３４の後述するスライドブロック８０の左端部に係止され、これによりダンパー部材３３が各部材３１３，３４の間に架設されている。
【００３７】
スライド部材３４は、ダンパー部材３３のフリー端部が係止されるスライドブロック８０（スライド本体に相当）と、引きバネ３２のフリー端部が係止され、スライドブロック８０に対して引戸Ｄの開閉方向（以下単に「開閉方向」という）にスライド可能に取り付けられた係合ブロック８２（係合体に相当）とを備えている。このスライド部材３４は、ガイドスリット３１１ａの左端部に対応する初期位置と、枠体３１の姿勢切換孔３１１ｂに対応する所定の保持位置との間を引戸Ｄの開閉操作に伴って枠体３１に対して相対的にスライド移動するようになされている。なお、スライド部材３４が初期位置にある場合には、引戸Ｄは閉止位置にあるようになされている。
【００３８】
図３はスライド部材を分解して示す斜視図であり、図４、図５はそれぞれスライドブロック、係合ブロックとを示す正面図及び側面図である。
【００３９】
スライドブロック８０は、枠本体３１１内を摺動可能に構成されている。具体的には、このスライドブロック８０は、開閉方向（左右方向）に沿って延びる支承部８０１と、支承部８０１の中間部に上方に突出する態様で立設された係合突出部８０２と、支承部８０１の左端部に設けられたダンパー取付部８０３と、支承部８０１の右端部に設けられた連係部８０４と、ダンパー取付部８０３の支承部８０１側に取り付けられるクッション体８０５とを備え、枠本体３１１の底面上に摺接可能に構成されている。
【００４０】
支承部８０１は、後述する解除姿勢にある係合ブロック８２を上縁部において下方から支承するものであり、偏平長尺のブロック形状を呈する。この支承部８０１は、長手方向中間部において高さが変更されている。すなわち、支承部８０１は、右側の低位支承部８０１ａと、左側の高位支承部８０１ｂとを有し、各支承部８０１ａ、８０１ｂの双方で、解除姿勢の係合ブロック８２を支承するものとなされている。
【００４１】
係合突出部８０２は、開放状態にある引戸Ｄの閉操作時の移動速度が速い場合に受け部材５と係合し、ダンパー部材３３の緩衝効果によってその移動速度を減殺するものである。この係合突出部８０２は、その前後幅がガイドスリット３１１ａよりも小さく構成された角柱状を呈し、スライドブロック８０が枠本体３１１に内装された状態でガイドスリット３１１ａを通じて枠本体３１１から上方に突出するようになされている。
【００４２】
この係合突出部８０２は、支承部８０１の低位支承部８０１ａと高位支承部８０１ｂとの境界部に垂直に立設され、係合ブロック８２のガイド孔部８２３ａに挿入されている。本実施形態の係合突出部８０２は、連係部８０４を補助する補助連係部（他の連係部に相当）としての役目も兼ね備える。すなわち、係合突出部８０２は、スライドブロック８０が受け部材５と係合して係合ブロック８２に対して相対的にスライド移動した場合に、左側面（作用面）８０２ａが解除姿勢にある係合ブロック８２、具体的には後述する補強突出部８２４ａの右側面８２４ａ（及びガイド孔部８２３ａの一端部内面８２３ｃ）と所定の角度をもって片当たりすることにより、係合ブロック８２に対し受け部材５側のモーメントを作用させ、該係合ブロック８２を係合姿勢に切り換えるものとなされている。そして、作用面８０２ａは、係合ブロック８２を係合姿勢に切り換えた状態で、上記右側面８２４ａ及び一端部内面８２３ｃと密着状態に当接するものとなされている。この作用面８０２ａは、支承部８０１に対して垂直に立設された平面として構成されている。この作用面８０２ａの具体的な作用については、連係部８０４の作用とともに後述する。
【００４３】
ダンパー取付部８０３は、ダンパー部材３３のフリー端部が取り付けられるものであり、スライドブロック８０の姿勢を安定させる機能を併せもつ。このダンパー取付部８０３は、支承部８０１の左端部に取り付けられた摺動部８０３ａと、摺動部８０３ａの上方に突設された取付本体部８０３ｂとを有する。
【００４４】
摺動部８０３ａは、その底面が枠本体３１１の内底面形状に沿って略逆ハット状に構成され、これにより前後に摺動翼部を有する。なお、この摺動翼部の下面は、枠本体３１１の下部突出部を挟む両側の底板部分に摺接するものとなされ、これによりスライドブロック８０の姿勢を安定させている（図４（ｂ）参照）。また、この摺動翼部における下面の高さ位置は、支承部８０１の低位支承部８０１ａの上縁高さと一致している。一方、取付本体部８０３ｂは、直方体状を呈し、右端部に平面視Ｔ字状のクッション取付孔８０３ｃが上下に延設されている。このクッション取付孔８０３ｃには、上記したように、クッション体８０５が嵌着される。
【００４５】
ダンパー取付部８０３は、図４に明示するように、クッション取付孔８０３ｃと反対側の端部（左端部）に左方を開口させた状態でダンパ取付孔８０３ｄが設けられている。このダンパ取付孔８０３ｄは、ダンパー部材３３の一端部を下方から差し込むことができるように下方に開口しており、左右方向の奥部が前後方向に拡幅してダンパー部材３３を係止可能に構成されている。
【００４６】
連係部８０４は、スライドブロック８０が受け部材５と係合して係合ブロック８２に対して相対的にスライド移動した場合に、解除姿勢にある係合ブロック８２と係合して該係合ブロック８２を係合姿勢に切り換えるものであり、本実施形態では支承部８０１と一体に設けられている。
【００４７】
連係部８０４は、右端部に向かって上方に傾斜する傾斜部８０４ａを有し、正面視三角形状を呈する。言い換えると、傾斜部８０４ａは、係合突出部８０２から離反する方向に向かって受け部材５側（上方）に傾斜し、これにより正面視において上方向及び左方向の成分を含む法線を有する。この結果、支承部８０１に解除姿勢にある係合ブロック８２が支承されている場合にスライドブロック８０が係合ブロック８２に対し離反方向へ移動した場合には、係合ブロック８２の先端部（右端部）が傾斜部８０４ａに差しかかって、この傾斜部８０４ａに沿って上方、すなわち受け部材５側に押し出され、この係合ブロック８２が係合姿勢に変更される。
【００４８】
傾斜部８０４ａは、係合ブロック８２と接触して係合ブロック８２を押し出すものであり、本実施形態では平面として構成されているが、曲面、波面等、その他の面であってもよく、また面に代えて先端に向かうテーパーを有するように構成してもよく、例えば直線、曲線、波線等により構成されるものであっても良い。要は、傾斜部８０４ａに沿って係合ブロック８２を押し出し可能であれば、その具体的構成は種々変更可能である。
【００４９】
また、傾斜部８０４ａの支承部８０１の延長線に対する傾斜角度αは、本実施形態では約４５度に設定されている。この傾斜角度は、大きすぎると係合ブロック８２の円滑な押し出しに支障をきたす虞があり、小さすぎるとスライドブロック８０と係合ブロック８２との相対的なスライド量が大きくなるので全体的に大きくなってコンパクトに構成し難くなる。従って、傾斜部８０４ａの傾斜角度としては２０度〜７０度の範囲で設定されるのが好ましい。
【００５０】
クッション体８０５は、軟質合成樹脂の一体成形品であり、平面視Ｔ字状を呈する。このクッション体８０５は、取付本体部８０３ｂのクッション取付孔８０３ｃに先端部（右端部）が突出した状態で嵌入されている。これによりクッション体８０５は、係合ブロック８２と取付本体部８０３ｂとの間に介在して係合ブロック８２のスライドブロック８０に対する衝突を緩和するものとなされている。
【００５１】
係合ブロック８２は、引戸Ｄの開放動作に伴いスライド部材３４の初期位置から保持位置に至るまでの間、受け部材５に係合し（係合姿勢）、スライド部材３４が保持位置に至ることにより姿勢切換孔３１１ｂを通じて枠体３１内に没入することにより受け部材５との係合状態が解除される（解除姿勢）ものであり、この解除姿勢では枠本体３１１と係合してスライド部材３４をその保持位置に停止保持させるためのものである。すなわち、係合ブロック８２は、受け部材５と係合する係合姿勢及びその係合状態を解除する解除姿勢を切換可能に構成されている。
【００５２】
また、係合ブロック８２は、引戸Ｄの閉止動作に伴い受け部材５と再係合し、スライド部材３４の停止保持状態を解除するとともに受け部材５と協働して上記解除に伴い引きバネ３２の弾性力を引戸Ｄにスライドアシスト力として付与するように機能する。
【００５３】
この係合ブロック８２は、開閉方向に沿って延び、正面視で右方に向かって先細り状に構成された正面視略三角形状を呈し（図５（ａ）参照）、スライドブロック８０の支承部８０１に開閉方向にスライド可能に支承されている。
【００５４】
具体的には、係合ブロック８２は、受け部材５と係合する受け係合部８２１と、この受け係合部８２１の下方に配置された首部８２２と、首部８２２の左端部に配置されスライドブロック８０に開閉方向にスライド可能に取り付けられる取付基体８２３と、この取付基体８２３の左部上面に突設された補強突出部８２４と、取付基体８２３の前後両側面における下端部から左端部にかけて前後方向に突設された翼状部８２５とを備え、これらが一体に成形されている。
【００５５】
受け係合部８２１は、受け部材５に対して係脱する部材であり、右端部が先端に向かって下方に傾斜するように構成されている。この受け係合部８２１は、その前後幅がガイドスリット３１１ａの前後幅よりも大きく、かつ、姿勢切換孔３１１ｂの前後幅よりも小さく寸法設定されているとともに、左右寸法が姿勢切換孔３１１ｂの左右寸法よりも短く設定されている。受け係合部８２１の左側面は、係合姿勢で垂直面となるように構成されており、この垂直面が受け部材５に当接することにより受け部材５に係合するものとなされている。
【００５６】
受け係合部８２１は、ガイドスリット３１１ａの範囲内にあるとき、ガイドスリット３１１ａから上方に突出した状態にあり、この状態で受け部材５に係合している。また、受け係合部８２１は、係合ブロック８２が姿勢切換孔３１１ｂに至ることにより、姿勢切換孔３１１ｂを通じて枠本体３１１内に没入するように構成され、この没入に伴い受け部材５との係合状態が解除されるとともに、解除姿勢で枠本体３１１の下方に垂下した枠体部分３１１ｃと係合するものとなされている。
【００５７】
首部８２２は、係合ブロック８２の係合姿勢で、取付基体８２３の上縁に対して上方で受け係合部８２１を支持する部材である。この首部８２２は、受け係合部８２１に対して狭幅に構成され、その前後幅がガイドスリット３１１ａよりも小さくなるように寸法設定されている。首部８２２は、係合姿勢において、先端（右端）に向かって上方に傾斜する傾斜面８２２ａを有し、この傾斜面８２２ａが連係部８０４に係合するものとなされている。
【００５８】
取付基体８２３は、上記したように、スライドブロック８０に対して開閉方向にスライド可能に取り付けるためのものである。この取付基体８２３は、解除姿勢で受け係合部８２１を枠本体３１１内に没入させるために、底面が右端部に向けて上方に傾斜して構成されている。
【００５９】
この取付基体８２３は、左右方向の中央部やや左寄りに、スライドブロック８０の係合突出部８０２を遊嵌させるためのガイド孔部８２３ａが上下に貫通して設けられている。このガイド孔部８２３ａは、平面視において左右方向に細長い矩形状の孔であり、このガイド孔部８２３ａ内を係合突出部８０２が相対的に移動することにより、係合ブロック８２がスライドブロック８０に対して開閉方向にスライド可能に取り付けられている。従って、ガイド孔部８２３ａの前後幅は、係合突出部８０２の前後幅と同等ないしは若干大きく寸法設定され、左右長さは、係合突出部８０２の左右長さよりも長く寸法設定されている。
【００６０】
このガイド孔部８２３ａの前後左右の内面のうち、左側内面８２３ｃは、受け係合部８２１の左側面と平行に配置され、係合ブロック８２の係合姿勢において垂直面となるように設定されている。これにより、左側内面８２３ｃは、解除姿勢では支承部８０１に対して傾斜するように構成されている。この左側内面８２３ｃは、後述する補強突出部８２４の右側面と連続して形成されており、この右側面及び係合突出部８０２と協働して、係合ブロック８２の姿勢を切り換えるものとなされているが、その具体的な作用については、後述する。
【００６１】
取付基体８２３の左端下面には、スライドブロック８０の高位支承部８０１ｂが遊嵌される支承溝部８２３ｂが下方に開口した状態で左右に延設されている。この支承溝部８２３ｂは、右端部がガイド孔部８２３ａに連通しており、この支承溝部８２３ｂの奥底面は、解除姿勢において、高位支承部８０１ｂに当接しており、これにより係合ブロック８２は高位支承部８０１ｂにおいても支承されている。
【００６２】
補強突出部８２４は、スライドブロック８０の係合突出部８０２に係合姿勢で当接して係合突出部８０２に作用する外力を分散させるためのものであり、正面視台形状を呈する。この補強突出部８２４は、ガイド孔部８２３ａの左方に連続して設けられ、右側面８２４ａがガイド孔部８２３ａの左側内面８２３ｃに連続して設けられている。すなわち、この補強突出部８２４の右側面８２４ａも、受け係合部８２１の左側面と平行に配置され、係合ブロック８２の係合姿勢において垂直面となるように設定されている。これにより、この右側面８２４ａは、解除姿勢では支承部８０１に対して傾斜するように構成され、スライドブロック８０が相対移動した場合に、係合突出部８０２の左側面８０２ａに当接するものとなされている。すなわち、ガイド孔部８２３ａの左側内面８２３ｃ、及び補強突出部８２４の右側面８２４ａが本発明にいう姿勢切換面に相当する。
【００６３】
翼状部８２５は、引きバネ３２が取り付けられるとともに、係合ブロック８２の解除姿勢において枠本体３１１の底板に当接するものである。翼状部８２５は、上記したように、取付基体８２３の前後両側面における下端部から左端部にかけて前後方向に突設されている。この翼状部８２５の上端部には、引きバネ３２が係止されるバネ係止溝８２５ａが前後一対設けられている。このバネ係止溝８２５ａは、左右方向に延び、側面視長円形の溝部を構成し（図５（ｂ）参照）、引きバネ３２のフリー端部を係止し得るものとなされている。
【００６４】
この係合ブロック８２は、次のようにしてスライドブロック８０に開閉方向にスライド可能に組み付けられる。すなわち、図３に示すように、係合ブロック８２の受け係合部８２１をスライドブロック８０の連係部８０４に対応させた状態で、係合ブロック８２のガイド孔部８２３ａにスライドブロック８０の係合突出部８０２を挿入する。この状態では、図６に示すように、係合突出部８０２の上端部が係合ブロック８２から突出し、係合ブロック８２はガイド孔部８２３ａ内を左右方向に移動可能であることから、係合ブロック８２はスライドブロック８０に対し開閉方向（左右方向）にスライド可能に構成されている。
【００６５】
受け部材５は、装置本体３、詳しくは装置本体３の係合突出部８０２または受け係合部８２１と係合して、装置本体３に制動力やスライドアシスト力を付与するものである。この受け部材５は、図１に示すように左右方向に細長い板状体を曲折された形状を呈し、下方に突出する受け突部５１が構成されている。この受け突部５１の左右幅は、スライド部材３４の係合突出部８０２と受け係合部８２１との間隔よりも小さく形成されている。
【００６６】
以上のように構成されたスライドアシスト装置１の作用について、図６を用いて説明する。図６はスライド部材の姿勢（作用）を示す概念図であり、（ａ）は係合ブロックが解除姿勢にある状態を示し、（ｂ）は同ブロックが途中姿勢にある状態を示し、（ｃ）は同ブロックが係合姿勢にある状態を示している。
【００６７】
引戸Ｄのスライドアシスト力の作用について説明しつつ、係合ブロック８２の姿勢切換の作用についても合わせて説明する。
【００６８】
まず、閉止状態にある引戸Ｄを開放する場合の機能について説明する。
【００６９】
スライド部材３４は、引戸Ｄの閉止状態において初期位置にあり、ガイドスリット３１１ａの左端部に位置している。この引戸の閉止状態において、図２に示すように、スライド部材３４の係合ブロック８２は、その受け係合部８２１がガイドスリット３１１ａを通じて枠体３１から上方に突出した係合姿勢に設定されている（図６（ｃ）参照）。この係合姿勢では、受け係合部８２１の左端面が受け部材５の受け突部５１の右側面に係合した状態になっている。
【００７０】
そして、この閉止状態から引戸Ｄを左方へ移動させて開放していくと、この開放に伴い装置本体３も左方へ移動するが、受け係合部８２１が受け突部５１に係合しているため、スライド部材３４の移動が妨げられる。このため、スライド部材３４は、ガイドスリット３１１ａに沿って枠体３１に対して相対的に右方に移動する。このスライド部材３４の移動に伴い引きバネ３２が伸長し、これによりスライド部材３４に引きバネ３２の付勢力が蓄積される。
【００７１】
引戸Ｄを継続して開放していくと、引戸Ｄが所定の開閉途中位置に達し、このときスライド部材３４の受け係合部８２１が姿勢切換孔３１１ｂに達する。この状態からさらに引戸Ｄが開放されると、受け係合部８２１が受け突部５１によって右方へ向かって押圧され、受け係合部８２１が連係部８０４の傾斜部８０４ａに沿ってスライドブロック８０を右方に押しのけながら（係合ブロック８２がスライドブロック８０に相対的にスライドしながら）、姿勢切換孔３１１ｂを通じて枠本体３１１内に没入する（図６（ｂ）、（ｃ）参照）。受け係合部８２１が没入すると、これによって、係合ブロック８２は、受け突部５１との係合状態が解除された解除姿勢へ姿勢変更する（図６（ａ）参照）。
【００７２】
このとき、解除姿勢に姿勢変更された受け係合部８２１は、引きバネ３２の付勢力で左方へ引っ張られ、受け係合部８２１の左端面が姿勢切換孔３１１ｂの左端縁に位置する枠体部分３１１ｃに係止する（図６（ａ）参照）。これによって、スライド部材３４は、姿勢切換孔３１１ｂに対応する保持位置に停止保持される。
【００７３】
次に、開放状態にある引戸Ｄを閉止する場合の機能について説明する。
【００７４】
全開状態の引戸Ｄを右方へ移動させて閉めていくと、引戸Ｄは上記開閉途中位置に達する。このとき、スライドブロック８０の係合突出部８０２の右側面が受け突部５１に係合し、さらに、引戸が右方へ移動すると、係合突出部８０２が受け突部５１によって左方に押し込まれ、スライドブロック８０が係合ブロック８２に対して相対的に左方にスライドする。
【００７５】
このスライドブロック８０の相対的なスライドに伴い、図６（ａ）に示す解除姿勢にある係合ブロック８２は、図６（ｂ）に示すように、その先端部である首部８２２の傾斜面８２２ａが連係部８０４の傾斜部８０４ａに係合して、該傾斜部８０４ａに沿って受け部材５側、すなわち上方に押し出される。このように、係合ブロック８２の押し出しの際に、係合ブロック８２の先端部である首部８２２にスライドブロック８０が係合するものとなされているので、比較的小さい力で係合ブロック８２を押し出すことができる。
【００７６】
また、係合ブロック８２は、解除姿勢で係合突出部８０２の左側面８０２ａに対し傾斜した状態で離隔配置されていた補強突出部８２４の右側面８２４ａの上端が、図６（ｂ）に示すように、係合突出部８０２の作用面８０２ａに当接し、スライドブロック８０が更に左方に押し込まれることにより、係合ブロック８２に対し、受け部材５側へ押し出すモーメントが作用する。
【００７７】
これらによって係合ブロック８２は、受け係合部８２１が、姿勢切換孔３１１ｂを通じて上方に押し出され、当該受け係合部８２１の左端部が枠本体３１１の枠体部分３１１ｃへ係止されていた状態が強制的に解消される。すなわち、係合ブロック８２は、図６（ｃ）に示すように、受け突部５１に対する解除姿勢から係合姿勢へと姿勢変更する。
【００７８】
このように、スライド部材３４がスライドブロック８０と係合ブロック８２との２部材を含んで構成され、スライドブロック８０は、受け部材５と係合して左方にスライドしながら、解除姿勢にある係合ブロック８２の先端部と係合して係合ブロック８２を係合姿勢に切り換える連係部８０４を具備するので、スライドブロック８０を含むスライド部材３４の損傷を効果的に抑制することができ、これに伴いスライドアシスト装置１の耐久性を向上させることができる。
【００７９】
すなわち、このスライドアシスト装置１によれば、連係部８０４を具備するので、引戸Ｄの閉止動作時に受け部材５とスライドブロック８０の係合突出部８０２が接触して係合すると、スライドブロック８０は左方にスライドしつつ、連係部８０４の傾斜部８０４ａに沿って係合ブロック８２を解除姿勢から係合姿勢に切り換える。このように、受け部材５とスライドブロック８０とが係合するのと同時にスライドブロック８０はスライドを始めるので、受け部材５との衝突に伴う衝撃力を逃がしつつ、係合ブロック８２の姿勢を変更することができ、これによりスライド部材３４の損傷を、簡単な構成でその作用を阻害することなく、効果的に抑制することができる。
【００８０】
また、この係合ブロック８２の姿勢変更を、スライドブロック８０の連係部８０４だけでなく、補助連係部である補強突出部８２４の右側面８２４ａ、及びガイド孔部８２３ａの左側内面８２３ｃによっても補助されるので、より適切に姿勢変更を行うことができる。すなわち、補助連係部である補強突出部８２４の右側面８２４ａ、及びガイド孔部８２３ａの左側内面８２３ｃが係合突出部８０２に当接することにより作用するモーメントによっても、係合ブロック８２の姿勢を切り換えるので、より適切に姿勢変更を行うことができる。
【００８１】
そして、この姿勢変更に伴い引きバネ３２の付勢力が開放されてスライド部材３４に作用し、スライド部材３４は、ダンパー部材３３によって一定の抵抗が付与されつつ、ガイドスリット３１１ａに沿って枠体３１に対して相対的に上記保持位置から初期位置に向かって移動する。このとき、スライド部材３４は受け部材５の受け突部５１に係合しているため、引きバネ３２の付勢力はスライドアシスト力として引戸Ｄの閉止方向に作用する。
【００８２】
なお、以上に説明したスライドアシスト装置１は、本実施形態に係るアシスト装置の一実施形態であり、その具体的構成等については適宜変更可能である。以下、本実施形態の変形例を説明する。
【００８３】
（１）上記実施形態では、スライド部材の連係部８０４について、傾斜部８０４ａを有して構成されるとともに、補助連係部（第２の連係部）として、係合突出部８０２の左側面８０２ａを有して構成されているが、本発明の連係部の具体的構成はこれに限定されるものではない。
【００８４】
例えば、図７に示すように、スライドブロック１８０の連係部について、傾斜部８０４ａを省略して、係合突出部８０２の左側面８０２ａを含む作用面を有して構成されるものであってもよい。
【００８５】
この場合には、引戸Ｄの閉止動作に伴い、スライドブロック１８０の係合突出部８０２と、受け部材５の受け突部５１とが係合すると、スライドブロック１８０が係合ブロック８２に対して相対的に左方にスライドする。このスライドに伴い、補強突出部８２４の右側面８２４ａ及びガイド孔部８２３ａの左側内面８２３ｃを含む姿勢切換面の上端が係合突出部８０２の左側面８０２ａ（作用面）に当接して、これにより係合ブロック８２について受け係合部８２１を上方に押し出すようにモーメントが作用する。
【００８６】
このように、作用面８０２ａと姿勢切換面８２４ａ，８２３ｃとの当接によるモーメントのみによって、係合ブロック８２の姿勢変更を行っても良い。
【００８７】
また、この変形例について、例えば補強突出部８２４を省略して、ガイド孔部８２３ａの左側内面８２３ｃ（姿勢切換面）の上端が係合突出部８０２の左側面８０２ａに当接するように構成してもよい。このように構成しても、上記変形例と同様に、さらにスライドブロック８２０が左方に相対的にスライドすることによって、係合ブロック８２の受け係合部８２１を上方に押し出すようにモーメントを作用させるようにしても良い。
【００８８】
なお、これらの変形例について、上記実施形態と同様の構成を有する場合には、上記実施形態と同一の符号を付してその詳細な説明を省略している。
【００８９】
（２）上記各実施形態では、装置本体３について単一のスライド部材３４が設けられ、引戸Ｄの閉止方向についてアシストするスライドアシスト装置について説明しているが、例えば装置本体３について、引戸Ｄの開方向についてアシストするもの、或いはそれぞれ逆方向に動作するスライド部材を２つ備え、引戸の開閉いずれの方向についてもアシストするスライドアシスト装置としても良い。
【００９０】
このように２つのスライド部材を設けた場合、各スライド部材について、それぞれ引きバネ（弾性部材）及びダンパー部材（緩衝部材）を別個に設けるようにしてもよいが、各スライド部材について引きバネ及びダンパー部材を兼用するものとしてもよい。このとき、引きバネ３２及びダンパー部材３３の一端部が他方のスライド部材（この部材は所定の保持位置で保持されている。）に係止されることにより枠体３１に間接的に固定される。
【００９１】
（３）また、係合ブロック８２がスライドブロック８０に対して開閉方向にスライド可能に取り付けられているので、例えば引戸Ｄの開閉操作等に伴い当該引戸Ｄに衝撃力が作用すると、所定の保持位置にあるスライド部材に影響を与える（具体的には外力が作用する）ことがあり、場合によっては当該影響により解除姿勢にあるスライド部材の係合ブロックが不測に解除姿勢から係合姿勢に切り換わって所定の保持位置から移動してしまうことがある。特に、２つのスライド部材を設け、各スライド部材について引きバネやダンパー部材を兼用させた場合に、当該引きバネやダンパー部材を通じて、他方のスライド部材の動作による一方のスライド部材に与える影響が顕著になることがある。
【００９２】
そこで、このような場合には、スライド部材における係合ブロック（係合体）の適正な姿勢変更を担保しつつ不測に姿勢変更されないように構成されるのが好ましい。
【００９３】
例えば、図８に示すようなスライド部材２３４を用いるのが好ましい。
【００９４】
具体的には、この実施形態に係るスライド部材２３４は、スライドブロック２８０（スライド本体）の具体的構成において上記各実施形態と異なる。すなわち、この実施形態におけるスライドブロック２８０は、係合突出部２８２及びダンパー取付部２８３のそれぞれに、左右方向について係合ブロック８２の補強突出部８２４側に突出する逆モーメント発生突部２８２ｂ，２８３ｃを備えるとともに、係合突出部２８２が補強突出部８２４側に弾性変形により傾倒可能に構成されている。以下、このスライドブロック２８０の具体的構成について詳述する。なお、スライドブロック２８０については、引戸Ｄの閉操作時にアシスト機能を発揮するものと、同開操作時にアシスト機能を発揮するものとの２種類存在するが、これらは動作が開閉逆になるだけで基本的構成は同一であるから、説明の便宜上、ここでは閉操作時にアシスト機能を発揮するものを中心に説明する。
【００９５】
このスライドブロック２８０は、開閉方向（左右方向）に沿って延び上縁部において係合ブロック８２を支承する支承部２８１と、支承部２８１の中間部に上方に突出する態様で立設された係合突出部２８２と、支承部２８１の左端部に設けられたダンパー取付部２８３と、支承部２８１の右端部に設けられた回動補助突片２８４とを備え、係合突出部２８２の左側面が作用面２８２ｃ（連係部）として機能するものとなされている。なお、本実施形態では、スライドブロック２８０は、硬質合成樹脂から一体成形されているが、複数部材が組み付けられて構成されるものであってもよく、この場合例えば係合突出部２８２について異なる素材から構成されるものであっても良い。
【００９６】
支承部２８１は、解除姿勢にある係合ブロック８２を下方から支承するものであり、長尺ブロック形状を呈する。この支承部２８１は、長手方向中間部において高さが変更されている。すなわち、支承部２８１は、右側の低位延出部２８１ａと、左側の高位支承本体２８１ｂとを有し、高位支承本体２８１ｂの上縁部で解除姿勢の係合ブロック８２を支承するものとなされている。
【００９７】
この高位支承本体２８１ｂの右端部（係合突出部２８２側の端部）には、下方に向けて円弧状の切欠き部２８１ｃが設けられ、この切欠き部２８１ｃによって係合突出部２８２がダンパー取付部２８３側に弾性的に傾倒し易く構成されている。この切欠き部２８１ｃの形状や深さは特に限定されるものではなく、係合突出部２８２が弾性によって傾倒して後述する作用を発揮できるように適宜設定されるが、本実施形態では円弧形状で、低位延出部２８１ａの上縁に対応する深さに設定されている。
【００９８】
一方、低位延出部２８１ａは、係合突出部２８２の弾性傾倒に応じて回動し、回動補助突片２８４を上方に変位させるものとなされている。この低位延出部２８１ａは、その下面が先端部（右端部）に向けて上方に傾斜しており、これにより係合突出部２８２の弾性回復に応じて枠本体３１１と接触して衝撃音が発生するのを抑制するものとなされている。
【００９９】
係合突出部２８２は、上記各実施形態と同様に、開放状態にある引戸Ｄの閉操作時の移動速度が速い場合に受け部材５と係合して緩衝効果を発揮するものである。この係合突出部２８２の具体的構成については、上記各実施形態と同様の点は説明を省略し、ここでは異なる点を重点的に説明する。
【０１００】
本実施形態の係合突出部２８２は、支承部２８１の低位延出部２８１ａ及び高位支承本体２８１ｂの境界部に垂直に立設された突出本体部２８２ａと、この突出本体部２８２ａの左側面（ダンパー取付部２８３側の側面）に左方に向かって突設された第１逆モーメント発生突部２８２ｂとを備え、突出本体部２８２ａはスライドブロック２８０の高位支承本体２８１ｂに対し弾性変形して傾倒可能に構成されている。
【０１０１】
突出本体部２８２ａは、上記各実施形態の係合突出部８０２と同様に構成されているので、ここではその説明を省略するが、本実施形態では、この突出本体部２８２ａの左側側面が作用面２８２ｃとして機能する。この突出本体部２８２ａの作用面２８２ｃが本発明にいう連係部に相当する。
【０１０２】
一方、第１逆モーメント発生突部２８２ｂは、突出本体部２８２ａが弾性変形していない状態で、係合ブロック８２がスライドして当接した場合に、該係合ブロック８２に対して解除姿勢となる側（図例では反時計側）にモーメントを作用させるものであり、一方、突出本体部２８２ａが受け部材５により弾性的に傾倒した状態で、係合ブロック８２がスライドしても当接しないように設定されている。このように係合突出部２８２を構成することにより、係合ブロック８２の適正な姿勢変更を担保しつつ、他方のスライド部材の動作に伴う不測の姿勢変更を抑制するものとなされている。
【０１０３】
具体的には、第１逆モーメント発生突部２８２ｂは、その最高突出部（頂部）が、解除姿勢にある係合ブロック８２の姿勢切換面８２３ｃ、８２４ａの高さ方向中央よりも低い位置になるように設定され、突出本体部２８２ａが傾倒していない状態で姿勢切換面８２３ｃ、８２４ａが当接すると係合ブロック８２に解除姿勢側（反時計回り）にモーメントが作用されるにように設定されている。本実施形態では、第１逆モーメント発生突部２８２ｂの頂部が突出本体部２８２ａの高さ方向中央よりも若干下寄りに位置するように設定されている。
【０１０４】
この第１逆モーメント発生突部２８２ｂの高さは、突出本体部２８２ａが受け部材５に係合することにより所定角度傾倒した状態で、突出本体部２８２ａに先立って係合ブロック８２の姿勢切換面８２３ｃ、８２４ａに当接しないように設定されている。すなわち、突出本体部２８２ａが傾倒した状態では、スライド移動する係合ブロック８２の姿勢切換面８２３ｃ、８２４ａに対して、突出本体部２８２ａの上端隅部が第１逆モーメント発生突部２８２ｂに先立って当該姿勢切換面の上部８２４ａに当接し、これにより係合ブロック８２に係合姿勢側（時計回り）にモーメントが作用するように設定されている。具体的には、第１逆モーメント発生突部２８２ｂの高さは、突出本体部２８２ａが垂線に対して少なくとも２．０度傾倒した状態で、引戸Ｄの開閉方向（左右方向）について突出本体部２８２ａの上端左隅部よりも右側に位置するように設定されている。
【０１０５】
また、第１逆モーメント発生突部２８２ｂは、突出本体部２８２ａから左方に突出して係合ブロック８２に対して所定のモーメントを発生させることができるものであれば、その具体的形状は問わないが、本実施形態では、図８に示すように、正面視三角形のブロック状を呈し、上面が下面に比べて緩やかに傾斜するものとなされている。
【０１０６】
ダンパー取付部２８３は、上記各実施形態と同様の構成を有するが、摺動部及び取付本体部２８３ｂに加え、取付本体部２８３ｂの右側面に係合突出部２８２側（右側）に突出する第２逆モーメント発生突部２８３ｃを備え、この第２逆モーメント発生突部２８３ｃは第１逆モーメント発生突部２８２ｂとともに係合ブロック８２の不測の姿勢変更が発生しないようになされている。
【０１０７】
第２逆モーメント発生突部２８３ｃは、係合ブロック８２により当接押圧された場合に、該係合ブロック８２に対して解除姿勢となる側（図例では反時計側）にモーメントを作用させるものである。
【０１０８】
具体的には、第２逆モーメント発生突部２８３ｃは、その最高突出部（頂部）が、解除姿勢にある係合ブロック８２における背面の高さ方向中央よりも高い位置になるように設定され、係合ブロック８２が当接して押圧されたとしても、係合ブロック８２に解除姿勢側（反時計回り）にモーメントが作用されるにように設定されている。本実施形態では、第２逆モーメント発生突部２８３ｃの頂部が取付本体部２８３ｂの上縁に位置するように設定されている。
【０１０９】
この第２逆モーメント発生突部２８３ｃの高さや形状は適宜設定されるが、その正面視形状については本実施形態のように下方に向かって取付本体部２８３ｂ側に傾斜する三角形状とするのが好ましい。このように構成すれば、係合ブロック８２に対してより適切に解除姿勢側にモーメントを作用させることができる。
【０１１０】
次に回動補助突片２８４について説明する。
【０１１１】
回動補助突片２８４は、支承部２８１の右端部に該支承部２８１と一体に設けられている。この回動補助突片２８４は、係合突出部２８２が傾倒した場合に係合ブロック８２の先端部を上方に押し出して、解除姿勢にある係合ブロック８２を係合姿勢に姿勢変更する場合の動作を補助するものである。
【０１１２】
回動補助突片２８４は、右端部に向かって上方に傾斜しており、正面視三角形状を呈する。従って、回動補助突片２８４は、係合突出部２８２が傾倒した場合に係合ブロック８２を上方に押し出すだけでなく、係合ブロック８２がスライドして当接した場合に傾斜に沿って当該係合ブロック８２を係合姿勢に導くことができる。この回動補助突片２８４の傾斜角度は、上記実施形態における傾斜部８０４ａと同様に設定され、２０度〜７０度の範囲で設定されるのが好ましい。
【０１１３】
以上に説明したスライドブロック２８０に対して、係合ブロック８２を以下のように組み付けることができる。すなわち、係合ブロック８２のガイド孔部８２３ａ（図３参照）にスライドブロック２８０の係合突出部２８２を挿入する。この状態では、図８（ａ）に示すように、係合突出部２８２の上端部が係合ブロック８２から突出し、係合ブロック８２はガイド孔部８２３ａ内を左右方向に移動可能であり、これにより係合ブロック８２はスライドブロック２８０に対し開閉方向にスライド可能に構成されている。
【０１１４】
この場合、図８（ａ）に示すように、係合ブロック８２の解除姿勢において、係合ブロック８２の姿勢切換面８２４ａと係合突出部２８２の突出本体部２８２ａとの間に隙間Ｓが存し、この隙間Ｓを利用して係合ブロック８２がスライドブロック２８０に対して左右方向にスライド可能に構成されている。この隙間Ｓは微小寸法でも、衝撃力を逃がしつつ、係合ブロック８２の姿勢変更が可能でその機能を発揮することができ、例えば０．１ｍｍ〜１０．０ｍｍの範囲で適宜設定することができる。
【０１１５】
この変形例にかかるスライドブロック２８０を用いた場合の係合ブロック８２の姿勢切り換えの作用について説明する。なお、係合姿勢にある係合ブロック８２が解除姿勢に姿勢変更する場合の作用については上記各実施形態と同様であるので、ここでは説明を省略し、係合ブロック８２が解除姿勢から係合姿勢に切り換わる場合の作用、並びに他方のスライド部材が動作した場合の作用について説明する。
【０１１６】
すなわち、全開状態の引戸Ｄを右方へ移動させて閉めていくと、引戸Ｄは開閉途中位置に達する。このとき、スライドブロック２８０の係合突出部２８２の右側面が受け突部５１に衝突係合し、さらに引戸Ｄが右方へ移動すると、係合突出部２８２が受け突部５１によって左方に押し込まれ、スライドブロック２８０が係合ブロック８２に対して相対的に左方にスライドする。このスライド動作と同時に、上記衝突による衝撃力によって係合突出部２８２が反時計回り（ダンパー取付部２８３側）に弾性変形によって傾倒する。この傾倒によって、係合突出部２８２における突出本体部２８２ａの上端左隅部が係合ブロック８２の姿勢切換面８２４ａに当接するとともに、回動補助突片２８４が係合ブロック８２の先端部に当接する。
【０１１７】
このスライドブロック２８０の相対的なスライド、及び係合突出部２８２の傾倒、並びに回動補助突片２８４の当接に伴い、図８（ａ）に示す解除姿勢にある係合ブロック８２は、図８（ｂ）に示すように、係合突出部２８２により係合姿勢側にモーメント（受け部材５側に押し出すモーメント）が作用するとともに、回動補助突片２８４により上方に押圧され、これらの作用により先端部が上方に押し出される。
【０１１８】
これらによって係合ブロック８２は、受け係合部８２１が、姿勢切換孔３１１ｂを通じて上方に押し出され、当該受け係合部８２１の左端部が枠本体３１１の枠体部分３１１ｃへ係止されていた状態が強制的に解消される。すなわち、係合ブロック８２は、図８（ｃ）に示すように、受け突部５１に対する解除姿勢から係合姿勢へと姿勢変更する。
【０１１９】
このように、スライド部材２３４がスライドブロック２８０と係合ブロック８２との２部材を含んで構成され、スライドブロック２８０は、受け部材５と係合して左方にスライドしながら、解除姿勢にある係合ブロック８２の姿勢切換面８２４ａと係合して係合ブロック８２を係合姿勢に切り換える係合突出部２８２の作用面２８２ｃを具備するので、スライドブロック２８０を含むスライド部材２３４の損傷を効果的に抑制することができ、これに伴いスライドアシスト装置１の耐久性を向上させることができる。
【０１２０】
一方、このスライド部材２３４と逆の作用、すなわち開操作時にアシスト機能を発揮するスライド部材（他方のスライド部材）が動作する場合に、兼用する引きバネ３２やダンパー部材３３を通じて、当該一方のスライドブロックが不測にスライドすることがある。
【０１２１】
この場合でも、この実施形態では、スライドブロック２８０に第１及び第２逆モーメント発生突部２８２ｂ、２８３ｃを備えるので、係合ブロック８２がこれらの逆モーメント発生突部２８２ｂ、２８３ｃに当接して、これらの突部２８２ｂ、２８３ｃから解除姿勢側にモーメントが作用するように構成されているので、係合ブロック８２の不測の姿勢変更を効果的に抑制することができる。
【０１２２】
具体的には、例えば図８（ｄ）に示すように、スライドブロック２８０が不測にスライドして、係合ブロック８２が相対的に不測に右方にスライドした場合でも、係合ブロック８２の姿勢切換面８２３ｃに第１逆モーメント発生突部２８２ｂが当接し、これにより係合ブロック８２に時計方向側へのモーメントを作用させることができることから、係合ブロック８２の不測の姿勢変更を効果的に抑制することができる。
【０１２３】
（４）上記実施形態では、第１および第２のガイドユニット１０，１１について、ガイドローラが設けられたものについて説明しているが、このガイドローラに代えて、ガイドレールＬ内をスライドする滑り部材を設けてもよい。
【符号の説明】
【０１２４】
Ｄ  引戸
１  スライドアシスト装置
５  受け部材
３１  枠体
３２  引きバネ（弾性部材に相当）
３４  スライド部材
８０  スライドブロック（スライド本体に相当）
８２  係合ブロック（係合体に相当）
８０４  連係部
８０４ａ  傾斜部
８２３ｃ  左側内面（作用面に相当）
８２４ａ  右側面（作用面に相当）
【図１】
2013151855.tif 000003
【図２】
2013151855.tif 000004
【図３】
2013151855.tif 000005
【図４】
2013151855.tif 000006
【図５】
2013151855.tif 000007
【図６】
2013151855.tif 000008
【図７】
2013151855.tif 000009
【図８】
2013151855.tif 000010